(57)【要約】【課題】湯切り時の利便性を向上できる湯切り孔付き蓋材を提供する。【解決手段】剥離ニスにより形成される剥離層３５を紙層３４上に設けた上層部３０と、下面に熱接着性樹脂層４３を有した下層部４０とを剥離層３５を配した剥離可能領域Ｄ上で剥離可能に積層し、下面から下層部４０を貫通するハーフカットの切断線２５により複数の湯切り孔２４を形成した湯切り孔付き蓋材２０において、剥離可能領域Ｄが各湯切り孔２４の外側であって複数の湯切り孔２４を囲み、剥離可能領域Ｄに剥離層３５と剥離層３５を非形成の非形成部３４ａとが混在する。【選択図】図５
2019182501.tif 000002
【特許請求の範囲】
【請求項１】
剥離ニスにより形成される剥離層を紙層上に設けた上層部と、下面に熱接着性樹脂層を有した下層部とを前記剥離層を配した剥離可能領域上で剥離可能に積層し、下面から前記下層部を貫通するハーフカットの切断線により複数の湯切り孔を形成した湯切り孔付き蓋材において、前記剥離可能領域が各前記湯切り孔の外側であって複数の前記湯切り孔を囲み、前記剥離可能領域に前記剥離層と前記剥離層を非形成の非形成部とが混在することを特徴とする湯切り孔付き蓋材。
【請求項２】
前記剥離可能領域の単位面積当たりの前記非形成部の占有率が５％〜４０％であることを特徴とする請求項１に記載の湯切り孔付き蓋材。
【請求項３】
各前記湯切り孔の内側の前記紙層上が前記非形成部から成ることを特徴とする請求項１または請求項２に記載の湯切り孔付き蓋材。
【請求項４】
外周から突出する湯切りタブと、前記切断線によって頂部を前記湯切りタブ側に向けたアーチ状に形成されるとともに開放端を一直線上に配置される複数の規制部とを備え、前記湯切りタブと前記規制部との間に前記湯切り孔が配されるとともに、前記規制部に対して前記湯切りタブ側に前記剥離可能領域が配され、前記規制部の内側の前記紙層上が前記非形成部から成ることを特徴とする請求項１〜請求項３のいずれかに記載の湯切り孔付き蓋材。
【請求項５】
前記規制部と前記湯切り孔との距離を１０ｍｍ以上にしたことを特徴とする請求項４に記載の湯切り孔付き蓋材。
【請求項６】
前記下層部が前記剥離層に隣接する押出し樹脂層を有し、前記非形成部の前記紙層上にアンカーコート剤を配したことを特徴とする請求項１〜請求項５のいずれかに記載の湯切り孔付き蓋材。
【発明の詳細な説明】
【技術分野】
【０００１】
本発明は、即席焼きそば等を収納する容器本体を封止する湯切り孔付き蓋材に関する。
【背景技術】
【０００２】
即席焼きそば、即席スパゲティ等の内容物を包装する包装容器は特許文献１に開示される。この包装容器は樹脂成形品の容器本体と、容器本体を封止する蓋材とを備えている。容器本体は上面に開口部を有した有底筒状に形成され、開口部の周囲にフランジが形成される。
【０００３】
蓋材は外方に突出して対向配置される開封タブ及び湯切りタブを有し、上層部及び下層部を剥離可能に積層される。蓋材の下面には下層部を貫通する閉曲線のハーフカットにより湯切り孔が形成される。
【０００４】
蓋材の上層部は紙層及び紙層の下面に配される剥離層を有している。剥離層は紙層の湯切り孔を除く領域に目止めニスを介して剥離ニスを塗布して形成される。
【０００５】
上記構成の包装容器において、開封タブを引いてフランジ上から蓋材の一部が剥離され、注湯口が開口する。注湯口から容器本体内に熱湯が注湯されると蓋材が閉じられ、内容物の蒸らし調理が行われる。
【０００６】
所定時間が経過して調理が完了すると、湯切りタブを引いて剥離層と下層部との間で蓋材の上層部の一部が剥離して折り返される。この時、湯切り孔内の下層部が上層部に接着されているため複数の湯切り孔が開口し、湯切り孔を介して湯切りが行われる。その後、蓋材の全体をフランジから剥離して容器本体内の内容物を喫食することができる。
【先行技術文献】
【特許文献】
【０００７】
【特許文献１】特開２０１６−２２９８２号公報（第３頁〜第６頁、第７図）
【発明の概要】
【発明が解決しようとする課題】
【０００８】
しかしながら、上記従来の蓋材によると、下層部から剥離して折り返された上層部が紙層の反発によって下層部上に重なり、湯切り時の利便性が悪い問題があった。
【０００９】
本発明は、湯切り時の利便性を向上できる湯切り孔付き蓋材を提供することを目的とする。
【課題を解決するための手段】
【００１０】
上記目的を達成するために本発明は、剥離ニスにより形成される剥離層を紙層上に設けた上層部と、下面に熱接着性樹脂層を有した下層部とを前記剥離層上で剥離可能に積層し、下面から前記下層部を貫通するハーフカットの切断線により複数の湯切り孔を形成した湯切り孔付き蓋材において、前記剥離層が各前記湯切り孔の外側であって複数の前記湯切り孔を囲む所定の剥離可能領域に配され、前記剥離可能領域に前記剥離層と前記剥離層を非形成の非形成部とが混在することを特徴としている。
【００１１】
この構成によると、湯切り孔付き蓋材は熱接着性樹脂層により容器本体に熱接着され、一部を容器本体から引き剥がされると注湯口が開口する。注湯口から注湯した後に湯切り孔付き蓋材により注湯口が閉じられる。この時、熱湯の蒸気が切断線を介して紙層に浸透するとともに、切断線から剥離層と下層部との間を広がって剥離層の端縁上から紙層に浸透する。
【００１２】
所定時間が経過すると、湯切り孔付き蓋材の一部の上層部が下層部から剥離して折り返される。切断線の内側の下層部は上層部とともに取り除かれ、下層部上に湯切り孔が開口する。上層部は紙層に浸透した蒸気の凝縮により重くなっているため折り返した状態を保持され、湯切り孔を介して湯切りが行われる。
【００１３】
また本発明は上記構成の湯切り孔付き蓋材において、前記剥離可能領域の単位面積当たりの前記非形成部の占有率が５％〜４０％であることを特徴としている。
【００１４】
また本発明は上記構成の湯切り孔付き蓋材において、各前記湯切り孔の内側の前記紙層上が前記非形成部から成ることを特徴としている。
【００１５】
また本発明は上記構成の湯切り孔付き蓋材において、外周から突出する湯切りタブと、前記切断線によって頂部を前記湯切りタブ側に向けたアーチ状に形成されるとともに開放端を一直線上に配置される複数の規制部とを備え、前記湯切りタブと前記規制部との間に前記湯切り孔が配されるとともに、前記規制部に対して前記湯切りタブ側に前記剥離可能領域が配され、前記規制部の内側の前記紙層上が前記非形成部から成ることを特徴としている。
【００１６】
また本発明は上記構成の湯切り孔付き蓋材において、前記規制部と前記湯切り孔との距離を１０ｍｍ以上にしたことを特徴としている。
【００１７】
また本発明は上記構成の湯切り孔付き蓋材において、前記下層部が前記剥離層に隣接する押出し樹脂層を有し、前記非形成部の前記紙層上にアンカーコート剤を配したことを特徴としている。
【発明の効果】
【００１８】
本発明によると、剥離層を配した剥離可能領域に剥離層と非形成部とが混在するので、切断線を通る蒸気が剥離層の端縁から紙層に浸透する。上層部は紙層に浸透した蒸気の凝縮により重くなり、下層部から剥離して折り返された状態を容易に保持することができる。従って、湯切り時の利便性を向上することができる。
【図面の簡単な説明】
【００１９】
【図１】本発明の実施形態の包装容器を示す斜視図
【図２】本発明の実施形態の包装容器を示す縦断面図
【図３】本発明の実施形態の包装容器を示す上面図
【図４】本発明の実施形態の包装容器の湯切り孔付き蓋材の層構成を示す断面図
【図５】本発明の実施形態の包装容器の湯切り孔付き蓋材の剥離可能領域の紙層の下面を拡大した平面図
【図６】本発明の実施形態の包装容器の湯切り孔付き蓋材を剥離した状態を示す斜視図
【図７】本発明の実施形態の包装容器の湯切り時の状態を示す斜視図
【発明を実施するための形態】
【００２０】
以下に図面を参照して本発明の実施形態を説明する。図１、図２は一実施形態の包装容器１の斜視図及び縦断面図を示している。包装容器１は容器本体１０及び湯切り孔付き蓋材２０（以下、「蓋材２０」という）を備えている。容器本体１０には注湯した後に湯切りされる即席焼きそば、即席スパゲティ等の内容物が収納される。
【００２１】
容器本体１０は発泡ポリスチレン樹脂等の樹脂成形品により、上面に円形の開口部１１を有した有底筒状に形成される。容器本体１０の上面の周部には開口部１１の周縁から水平方向に延びた円環状のフランジ１２が設けられる。
【００２２】
蓋材２０は剥離可能に積層される上層部３０及び下層部４０を備え、下層部４０に設けた熱接着性樹脂層４３（図４参照）によりフランジ１２上に熱接着される。蓋材２０にはフランジ１２から外方に突出する開封タブ２１及び湯切りタブ２２が設けられる。
【００２３】
図３は包装容器１の上面図を示している。蓋材２０の開封タブ２１は周方向の１箇所に外周から突出して設けられる。湯切りタブ２２は開封タブ２１に対向して配置され、周方向の１箇所に外周から突出して設けられる。
【００２４】
蓋材２０には下面から切り込まれたハーフカットにより切断線２５、切断線２６及び切断線２７が設けられる。切断線２６はフランジ１２の外縁に沿って設けられ、湯切りタブ２２から蓋材２０を引き剥がした際に上層部３０を下層部４０から剥離させる。
【００２５】
切断線２５はフランジ１２よりも内側に配された複数の閉曲線により形成され、湯切りタブ２２から上層部３０を引き剥がした際に湯切り孔２４を形成する。
【００２６】
切断線２７は頂部を湯切りタブ２２側に向けたアーチ状に形成され、開放端２７ａを一直線上に配置される。切断線２７と湯切りタブ２２との間に複数の湯切り孔２４が配され、切断線２７により上層部３０の剥離を規制する複数の規制部２８が形成される。また、湯切り孔２４と規制部２８との距離Ｌは１０ｍｍ以上に形成される。本実施形態では規制部２８が台形状の切断線２７により形成されるが、湯切りタブ２２の反対側を開放したアーチ状であればＶ字状やＵ字状等でもよい。
【００２７】
図４は蓋材２０の層構成を示す断面図である。蓋材２０の上層部３０は上面から順に印刷層３３、紙層３４、剥離層３５を積層して形成される。紙層３４の下面の所定位置には剥離層３５を非形成の非形成部３４ａが設けられる。下層部４０は上面から順に押出し樹脂層４１、アルミニウム箔層４２、熱接着性樹脂層４３を積層して形成される。
【００２８】
蓋材２０の下面から切り込まれた切断線２５、切断線２６及び切断線２７は、下層部４０を貫通して上端を紙層３４内に配される。
【００２９】
紙層３４は片アート紙、純白ロール紙等により形成される。例えば紙層３４として、坪量７９．１ｇ／ｍ2の純白ロール紙が用いられる。紙層３４の坪量が５０ｇ／ｍ2よりも小さいと蓋材２０の厚みが薄すぎて剛性が不足する上、ハーフカットの加工も難しくなる。紙層３４の坪量が２００ｇ／ｍ2よりも大きいと蓋材２０の剛性が高くなりすぎるとともにコストも高くなる。このため、紙層３４の坪量は５０〜２００ｇ／ｍ2の範囲が好ましい。
【００３０】
印刷層３３は紙層３４の上面にインキによって図柄等を印刷される。印刷層３３及び剥離層３５はグラビア印刷等により紙層３４上に両面印刷して形成される。両面印刷によって印刷層３３及び剥離層３５の相対位置の位置ずれを防止することができる。
【００３１】
尚、紙層３４の上層にポリエチレンテレフタレート、延伸ナイロン、延伸ポリプロピレン等の樹脂フィルムから成る保護層を接着剤を介して積層してもよい。保護層によって印刷層３３を含む紙層３４の上面を保護することができる。
【００３２】
剥離層３５は紙層３４の下面に剥離ニスを印刷して形成される。剥離ニスとして、シリコン、低分子量ポリエチレンワックス、リン酸エステル等を添加した樹脂系ニス（例えば、ウレタン系、アクリル系、硝化綿系、ポリアミド系等）を使用することができる。
【００３３】
剥離層３５によって上層部３０と下層部４０とを剥離可能な剥離可能領域Ｄ（図３においてドットパターンで示す）が複数の湯切り孔２４を囲む範囲に設けられる。本実施形態では、湯切り孔２４の内側を除いて規制部２８に対して湯切りタブ２２側に剥離可能領域Ｄを配し、湯切りタブ２２の反対側に非形成部３４ａを配している。
【００３４】
このため、湯切り孔２４の内側及び規制部２８の内側の紙層３４上は非形成部３４ａにより形成される。即ち、各湯切り孔２４の外側であって複数の湯切り孔２４を囲む範囲が剥離可能領域Ｄになっている。剥離可能領域Ｄには後述するように、剥離層３５と非形成部３４ａとが混在する。
【００３５】
下層部４０のアルミニウム箔層４２は例えば、厚み１５μｍのアルミニウム箔により形成され、蓋材２０にデッドホールド性を付与する。これにより、蓋材２０は開封により持ち上げられた状態と、再度閉じた際に閉じられた状態とを維持することができる。アルミニウム箔層４２に替えて、金属（アルミニウム等）または酸化物（酸化アルミニウム、酸化ケイ素等）の蒸着膜を有した樹脂フィルムから成る層を設けてもよい。
【００３６】
熱接着性樹脂層４３はオレフィン系樹脂等を含有して易剥離性を有したイージーピールフィルムにより形成される。熱接着性樹脂層４３は容器本体１０に適したイージーピールフィルムであれば特に限定されないが、例えばエチレン−酢酸ビニル共重合体を含有した厚み３０μｍの無延伸ポリプロピレンフィルムが用いられる。
【００３７】
アルミニウム箔層４２と熱接着性樹脂層４３とはＥＭＡＡ等の接着剤（不図示）により積層され、押出し樹脂層４１を介して上層部３０に接着される。押出し樹脂層４１はポリエチレン等の押出し樹脂により形成される。これにより、紙層３４上の非形成部３４ａが押出し樹脂層４１に接するため、非形成部３４ａにおいて紙層３４と下層部４０との接着強度を高くすることができる。
【００３８】
尚、非形成部３４ａの紙層３４上にアンカーコート剤を配してもよい。これにより、非形成部３４ａの紙層３４と下層部４０との接着強度をより高くすることができる。従って、湯切り孔２４の内側の下層部４０が容器本体１０内に脱落することを確実に防止できる。
【００３９】
図５は剥離可能領域Ｄの紙層３４（図３参照）の下面を拡大した平面図を示している。湯切り孔２４の外側に配される剥離可能領域Ｄには網点印刷等によって剥離層３５内に多数のドット状の非形成部３４ａが配される。これにより、剥離可能領域Ｄには微小面積内に剥離層３５と非形成部３４ａとが混在する。
【００４０】
剥離可能領域Ｄに剥離層３５と非形成部３４ａとが混在するため、後述するように剥離層３５の端縁３５ａ（図４参照）から蒸気が紙層３４に浸透する。また、剥離可能領域Ｄの上層部３０と下層部４０との接着強度を高くすることができ、搬送中の剥離可能領域Ｄの剥離を防止することができる。
【００４１】
本実施形態では円形の非形成部３４ａが直交する二方向に周期Ｔで正方格子状に配置される。また、対角の非形成部３４ａの中心間距離Ｔ’（＝２1/2・Ｔ）を１ｍｍ、非形成部３４ａの直径を０．５ｍｍにしている。これにより、剥離可能領域Ｄの単位面積当たりの非形成部３４ａの占有率は約３９％になっている。
【００４２】
剥離可能領域Ｄの単位面積当たりの非形成部３４ａの占有率が５％よりも小さいと、上層部３０と下層部４０との接着強度を高くすることができない。このため、搬送中の剥離可能領域Ｄの剥離が発生する可能性がある。剥離可能領域Ｄの単位面積当たりの非形成部３４ａの占有率が４０％よりも大きいと、下層部４０から上層部３０を剥離した際に下層部４０上に紙層３４の一部が残留する紙剥けを生じる。このため、剥離可能領域Ｄの単位面積当たりの非形成部３４ａの占有率を５％〜４０％にするとより好ましい。
【００４３】
尚、網点印刷等によって非形成部３４ａ内に多数のドット状の剥離層３５を配してもよく、剥離層３５と非形成部３４ａとを市松模様状に配してもよい。これらによっても上記と同様に、微少面積内に剥離層３５と非形成部３４ａとを混在させることができる。
【００４４】
上記構成の包装容器１において、図６に示すように使用者により開封タブ２１から蓋材２０がフランジ１２に対して剥離される。これにより、開口部１１の一部から成る注湯口１１ａが露出する。
【００４５】
次に、必要に応じてソースや具材等を収納する包装袋（不図示）が注湯口１１ａを介して容器本体１０から取り出される。具材等が容器本体１０内に投入されると注湯口１１ａから容器本体１０内に熱湯が注湯され、開封タブ２１をフランジ１２に掛けて蓋材２０が再度閉じられる。これにより、蓋材２０が閉じられた状態を保持して即席焼きそば等の蒸らし調理が行われる。
【００４６】
この時、容器本体１０内の熱湯の蒸気が切断線２５、２７を介して紙層３４に浸透する。また、剥離層３５と下層部４０との接着強度が低いため、ハーフカットの切断線２５、２７を設けた際に剥離層３５と下層部４０との間に微小な隙間が不規則に形成される。このため、蒸気が切断線２５、２７から剥離層３５と下層部４０との間を広がり、非形成部３４ａに隣接した剥離層３５の端縁３５ａ（図３参照）上から紙層３４に浸透する。剥離可能領域Ｄには微小な非形成部３４ａが多数形成されるため、剥離層３５の端縁３５ａ上から多量の蒸気を紙層３４に浸透させることができる。
【００４７】
注湯後に所定時間が経過して調理が完了すると、使用者により湯切りタブ２２が引かれる。これにより、蓋材２０の切断線２６よりも内側で下層部４０がフランジ１２に接着された状態で上層部３０が剥離する。また、切断線２５の内部の下層部４０が上層部３０とともに取り除かれ、湯切り孔２４が開口する。使用者は上層部３０を剥離する際に規制部２８の開放端２７ａ上で負荷が大きくなるため、剥離を停止することができる。
【００４８】
下層部４０から剥離した上層部３０は開放端２７ａ上で折り返される。上層部３０は紙層３４に浸透した蒸気の凝縮により重くなっている。また、蒸気は剥離層３５の端縁３５ａから紙層３４の下部に浸透するため蒸気の凝縮により紙層３４の下部が延び、上層部３０が上方にカールする。これにより、上層部３０を折り返した状態を容易に保持することができる。
【００４９】
また、上層部３０を折り返す部分に配された切断線２７から蒸気が広がって紙層３４に浸透するため、開放端２７ａ近傍の紙層３４の反発力を小さくできる。このため、上層部３０を折り返した状態を更に容易に保持することができる。
【００５０】
そして、図６に示すように湯切り孔２４を介して容器本体１０の湯切りが行われる。この時、規制部２８と湯切り孔２４との距離Ｌが１０ｍｍ以上に形成されるため、規制部２８の内側から内容物が排出されることを防止できる。湯切りが終了すると開封タブ２１から蓋材２０の全体が剥離され、容器本体１０内にソース等を投入して内容物を喫食することができる。
【００５１】
本実施形態によると、剥離層３５を配した剥離可能領域Ｄに剥離層３５と非形成部３４ａとが混在するので、切断線２５、２７を通る蒸気が剥離層３５の端縁３５ａから紙層３４に浸透する。上層部３０は紙層３４に浸透した蒸気の凝縮により重くなり、湯切り時に下層部４０から剥離して折り返された状態を容易に保持することができる。従って、湯切り時の利便性を向上することができる。また、剥離可能領域Ｄの上層部３０と下層部４０との接着強度が高くなるため、搬送時の剥離可能領域Ｄの剥離を防止することができる。
【００５２】
また、剥離可能領域の単位面積当たりの前記非形成部の占有率が５％〜４０％であるので、搬送時の剥離可能領域Ｄの剥離を確実に防止できるとともに、上層部３０の剥離時の紙剥けを防止することができる。
【００５３】
また、各湯切り孔２４の内側の紙層３４上が非形成部３４ａから成るので、上層部３０を剥離した際に切断線２５の内側の下層部４０を確実に取り除いて湯切り孔２４を形成することができる。
【００５４】
また、切断線２７によって頂部を湯切りタブ２２側に向けたアーチ状の複数の規制部２８が設けられ、規制部２８の開放端２７ａが一直線上に配置される。剥離可能領域Ｄは規制部２８に対して湯切りタブ２２側に配され、規制部２８の内側の紙層３４上が非形成部３４ａから成っている。これにより、下層部４０から上層部３０を剥離した際に規制部２８の開放端２７ａ上で負荷が大きくなるため剥離を停止させて上層部３０を折り返すことができる。また、規制部２８を形成する切断線２７を介して上層部３０を折り返す部分の近傍に蒸気が浸透するため上層部３０を折り返した状態を更に容易に保持することができる。
【００５５】
また、規制部２８と湯切り孔２４との距離Ｌを１０ｍｍ以上にしたので、湯切り時に規制部２８の内側からの内容物の流出を防止することができる。
【００５６】
また、下層部４０が剥離層３５に隣接する押出し樹脂層４１を有し、非形成部３４ａの紙層３４上にアンカーコート剤を配すると、非形成部３４ａの紙層３４と下層部４０との接着強度をより高くすることができる。従って、湯切り孔２４の内側の下層部４０が容器本体１０内に脱落することを防止できる。
【産業上の利用可能性】
【００５７】
本発明によると、即席焼きそば等の湯切りを行う包装容器に利用することができる。
【符号の説明】
【００５８】
１      包装容器
１０      容器本体
１１      開口部
１１ａ    注湯口
１２      フランジ
２０      蓋材
２１      開封タブ
２２      湯切りタブ
２４      湯切り孔
２５、２６、２７  切断線
２７ａ    開放端
２８      規制部
３０      上層部
３３      印刷層
３４      紙層
３５      剥離層
３５ａ    端縁
４０      下層部
４１      押出し樹脂層
４２      アルミニウム箔層
４３      熱接着性樹脂層
Ｄ      剥離可能領域
【図１】
2019182501.tif 000003
【図２】
2019182501.tif 000004
【図３】
2019182501.tif 000005
【図４】
2019182501.tif 000006
【図５】
2019182501.tif 000007
【図６】
2019182501.tif 000008
【図７】
2019182501.tif 000009